(57)【要約】【課題】  椅子としての美観を損なうことなく、必要な強度で座席部を椅子本体に容易に着脱できる椅子を提供する。【解決手段】  椅子本体１に座席部６を保持する座席装着部２が形成され、座席部６を座席装着部２に着脱可能に保持した椅子であって、座席部６は、座席装着部２との間に設けられた係合部により横方向の移動を阻止するように装着され、座席装着部２と座席部６が対向する位置に磁気吸着機構７が設けられ、座席部６を座席装着部２に磁力により保持している。【選択図】図１
0003215911.tif 000002
【実用新案登録請求の範囲】
【請求項１】
椅子本体に座席部を保持する座席装着部が形成され、前記座席部を前記座席装着部に着脱可能に保持した椅子であって、
前記座席部は、前記座席装着部との間に設けられた係合部により横方向の移動を阻止するように装着され、
前記座席装着部と前記座席部が対向する位置に磁気吸着機構が設けられ、前記座席部を前記座席装着部に磁力により保持した椅子。
【請求項２】
前記椅子本体の少なくとも前記座席装着部は鉄からなる磁性金属によって形成され、前記座席部の前記座席装着部に対向する位置に磁気吸着機構を設けた請求項１に記載の椅子。
【請求項３】
前記座席装着部には、内周縁に段部が形成されたフレーム枠が設けられ、前記段部に前記座席部の外縁側を落とし込み状に嵌合して横方向の移動を阻止するように装着され、前記段部に磁気吸着機構を設けた請求項１及び２に記載の椅子。
【考案の詳細な説明】
【技術分野】
【０００１】  本考案は、座席部が椅子本体に着脱自在に装着された椅子に関し、詳しくは、座席部を磁気吸着機構によって椅子本体に保持した椅子に関する。
【背景技術】
【０００２】  一般に使用されている椅子として、例えば、布張りクッションを用いた椅子は、表面のカバー（布張り地）が汚れ易くかつ摩耗や破れを生じ易いため、それらのクリーニングおよびメンテナンスを可能にすることが望まれている。また、椅子のカバーを取り替えることにより気分転換を図ったり、装飾性を高めたり、ファション性を高めることが望まれている。さらには、クッションの交換で硬さを調節したり、弾力性を復元させたりして座り心地やデザインをアップグレードまたは変化させることも望まれている。【０００３】  これらの要望を実現するために、従来から、特開２００７−１１７６００号公報（特許文献１）、実用新案登録第３１８９５４５号公報（特許文献２）などに開示されているように、座席部を着脱可能とした椅子が提案されている。
【先行技術文献】
【特許文献】
【０００４】
【特許文献１】特開２００７−１１７６００号公報
【特許文献２】実用新案登録第３１８９５４５号公報
【考案の概要】
【考案が解決しようとする課題】
【０００５】  上記特許文献１及び４に示された椅子は、座席部を面ファスナーによって着脱可能に構成することでクリーニングおよびメンテナンスを可能にすること、或いは、装飾性やファション性を高めるといった要望に対応することは可能となった。しかしながら、面ファスナーは、接合強度を高めるためには広い面積が必要であり、座席装着部の限られた場所では必然的に小面積となって必要な接合強度が得られない問題があった。また、面ファスナーのベースが軟弱であり、座席部及び座席装着部との固定強度が不十分になることから、特に剥離時に面ファスナーも剥がれてしまう問題もあった。【０００６】  本考案が解決しようとする課題は、椅子としての美観を損なうことなく、必要な強度で座席部を椅子本体に容易に着脱できる椅子を提供することにある。
【課題を解決するための手段】
【０００７】  そこで、本考案による椅子は、椅子本体に座席部を保持する座席装着部が形成され、前記座席部を前記座席装着部に着脱可能に保持した椅子であって、前記座席部は、前記座席装着部との間に設けられた係合部により横方向の移動を阻止するように装着され、前記座席装着部と前記座席部が対向する位置に磁気吸着機構が設けられ、前記座席部を前記座席装着部に磁力により保持したことを要旨としている。【０００８】  また、前記椅子本体の少なくとも前記座席装着部は、鉄を含む磁性金属によって形成され、前記座席部の前記座席装着部に対向する位置に磁気吸着機構を設けている。【０００９】  さらに、前記座席装着部には、内周縁に段部が形成されたフレーム枠が設けられ、前記段部に前記座席部の外縁側を落とし込み状に嵌合して横方向の移動を阻止するように装着され、前記段部に磁気吸着機構を設けている。
【考案の効果】
【００１０】  本考案による椅子によれば、座席部を磁気吸着機構によって座席装着部に磁力によって保持しているので、座席部の着脱が容易になり、クリーニングおよびメンテナンスを容易にすることができる。磁気吸着機構は、剛性を有する金属により構成されているので、座席部及び座席装着部に強固に取り付けられるので、十分な固定強度を得ることが可能となる。さらに、磁気吸着機構は、接合面と垂直な方向には十分な吸引力が得られるが、水平方向には比較的弱く、このため、座席部が横方向に移動することがあるが、座席部と座席装着部との間に係合部を設けることにより、座席部の横方向への移動を阻止するので、不意に座席部が離脱して着座者が転落する事故を未然に防止することができる。【００１１】  また、椅子本体の少なくとも前記座席装着部として鉄からなる磁性金属によって形成すると、座席装着部への磁気吸着機構が不要になり、椅子を安価に製造することができる。【００１２】  さらに、座席装着部のフレーム枠の内周縁に段部を形成し、この段部に座席部の外縁側を落とし込み状に嵌合することにより、座席部の横方向への移動を阻止することができるので、着座者が転落する事故を未然に防止することができる。また、段部に磁気吸着機構を設けることにより、座席部との位置が定まるので、座席装着部に対して強固に保持することが可能となる。
【図面の簡単な説明】
【００１３】
【図１】  本考案に関わる鉄製の椅子を示す分解斜視図である。
【図２】  図１に示す鉄製の椅子の磁気吸着機構を示す断面図である。
【図３】  本考案に関わる他の椅子を示す分解斜視図である。
【図４】  図３に示す他の椅子の磁気吸着機構を示す断面図である。
【図５】  椅子に座席部の固定機構を設けた応用例を示す断面図である。
【考案を実施するための形態】
【００１４】  本考案による椅子は、椅子本体に座席部を保持する座席装着部が形成され、前記座席部を前記座席装着部に着脱可能に保持した椅子であって、前記座席部は、前記座席装着部との間に設けられた係合部により横方向の移動を阻止するように装着され、前記座席装着部と前記座席部が対向する位置に磁気吸着機構が設けられ、前記座席部を前記座席装着部に磁力により保持している。
【００１５】  以下、図面に基づいて本考案の実施例を詳細に説明する。図１に示す椅子本体１は、座席部６を除き、鉄からなる金属によって形成されている。椅子本体１には、座席装着部２及び背もたれ３と、２本の前脚部４と２本の後脚部５とを備えている。座席装着部２は前脚部４及び後脚部５によって支持され、背もたれ３は後脚部５によって支持されている。座席装着部２には略四角形のフレーム枠２ａが形成され係合部としている。さらに、フレーム枠２ａの内周縁には段部２ｂが形成されていて、図２に示すように、座席部６の外周縁を落とし込み状に嵌合することにより当接させる。一方、背もたれ３は、鉄からなる金属棒によって形成されている。なお、鉄からなる金属によって形成されている部分は、座席装着部２のみでも良い。
【００１６】  座席装着部２に落とし込み状に嵌合された座席部６は、図２に示すように、クッション材６ａと、織物６ｂ、及び底板６ｃによって構成されている。クッション材６ａは、例えば、三次元立体構造網状体からなる立体網状クッション材が好適である。この立体網状クッション材は、弾性のある弾性合成樹脂（ポリエーテルエステル系繊維）などからなり、弾性合成樹脂からなる中実または中空な連続線条体を曲がりくねらせ多数の線条体ループを形成し、線条体ループが相互に接合された三次元立体構造網状体である。この立体網状クッションとしては、市販されている商品名「ブレスエアー」（東洋紡株式会社製）を使用することができる。なお、クッション材としては、ウレタンフォームなど周知のクッション材に変えても良い。また、織物６ｂは、一般的な椅子に使用される布地であり、底板６ｃは木製の板材であり、クッション材６ａを覆った織物６ｂの端は底板６ｃの裏面で固着される。
【００１７】  座席部６の底板６ｃには、図２に示すように、磁気吸着機構７がフレーム枠２ａの内周縁に形成された段部２ｂに対向する４個所の位置に設けられている。磁気吸着機構７は、永久磁石７ａと固定部材を兼ねるヨーク７ｂによって構成され、ヨーク７ｂ内に永久磁石７ａが取り付けられている。永久磁石７ａは、フェライト磁石、或いは、ネオジム磁石が好適であり、例えば、図２に示す上下の厚さ方向にＮ、Ｓ極が着磁されている。ヨーク７ｂの両側には取り付け部７ｃが形成されていて、底板６ｃに木ねじ８によって取り付けられている。この磁気吸着機構７は、図２に示すように、底板６ｃに形成されて孔に埋め込まれ、磁気吸着機構７が底板６ｃと同じ平面となるようにしている。なお、磁気吸着機構７が底板６ｃよりも僅かに突出させるように取り付けても良い。また、磁気吸着機構７としては、ヨーク７ｂを省略した永久磁石７ａ単体としても良い。
【００１８】  磁気吸着機構７を設けた座席部６を、フレーム枠２ａの内周縁に形成された段部２ｂまで落とし込んで嵌合すると、磁気吸着機構７が段部２ｂに当接する。上述した永久磁石７ａを段部２ｂに当接すると、フレーム枠２ａが鉄からなる金属によって形成されているので、永久磁石７ａ、ヨーク７ｂ、及び段部２ｂに磁気回路が形成され、座席部６が段部２ｂに強固に吸着される。このような吸着状態で、永久磁石７ａと段部２ｂを水平方向に変位させると、垂直方向の吸引力よりも弱いことから、座席部６が横方向に移動するが、座席部６が係合部としてのフレーム枠２ａに落とし込み状に嵌合されているので、横方向への移動が阻止され、座席部６が離脱することがない。そして、座席部６を離脱させる場合には、段部２ｂから磁気吸着機構７を引き離すように座席部６を持ち上げれば良い。
【００１９】  図３は、本考案の他の実施例を示し、椅子本体１０を木製、或いは、プラスチックなどの非磁性体で形成した例である。椅子本体１０は、実質的に図１に示した椅子本体と同様であり、座席装着部１２及び背もたれ装着部１３と、２本の前脚部１４と２本の後脚部１５とを備えている。座席装着部１２は前脚部１４及び後脚部１５によって支持され、背もたれ装着部１３は後脚部１５によって支持されている。座席装着部１２には略四角形のフレーム枠１２ａが形成され、このフレーム枠１２ａの内方は上下方向に貫通している。さらに、フレーム枠１２ａの内周縁の四隅には、筋交いとしても機能する段部１２ｂが形成されていて、図３に示すように、座席部１６の外周縁を落とし込み状に嵌合することにより段部１２ｂに当接させる。
【００２０】  磁気吸着機構は、図４に示すように、前述した実施例と実質的に同様であるが、永久磁石１７ａと固定部材を兼ねるヨーク１７ｂによって構成された磁気吸着機構本体１７と、鉄板１８によって構成されている。そして、磁気吸着機構本体１７は、フレーム枠１２ａの内周縁の四隅に形成された筋交い状の段部１２ｂに設けられている。磁気吸着機構本体１７は、段部１２ｂに形成されて孔に埋め込まれ、磁気吸着機構１７が突出しにように段部１２ｂと同じ平面となるようにしている。また、鉄板１８は磁気吸着機構本体１７に対向する座席部１６の底板１６ａに取り付けられている。この鉄板１８は、木ねじまたは接着によって固定される。
【００２１】  そして、座席部１６をフレーム枠１２ａの段部１２ｂまで落とし込んで嵌合すると、座席部６が段部１２ｂに当接するとともに、鉄板１８が磁気吸着機構本体１７に当接する。これにより、永久磁石１７ａ、ヨーク１７ｂ、及び鉄板１８によって磁気回路が形成され、座席部１６が段部１２ｂに強固に吸着される。また、座席部６の横方向への移動は、フレーム枠１２ａによって阻止される。そして、座席部６を離脱させる場合には、磁気吸着機構本体１７から鉄板１８を引き離すように座席部６を持ち上げれば良い。
【００２２】  なお、磁気吸着機構によって座席部を保持することは、背もたれ１９の保持にも適用できる。図３及び図４に示すように、背もたれ装着部１３には、フレーム枠１３ａが形成され、さらに、フレーム枠１３ａの内周縁には段部１３ｂが形成され、背もたれ部１９を当接させるようにして落とし込み状に嵌合して装着される。そして、段部１３ｂには、前述した磁気吸着機構本体１７が設けられ、背もたれ部１９の磁気吸着機構本体１７に対向する位置には、鉄板１８が設けられている。このように、背もたれ部１９をフレーム枠１３ａの段部１３ｂまで落とし込んで嵌合すると、鉄板１８が磁気吸着機構本体１７に当接する。これにより、永久磁石１７ａ、ヨーク１７ｂ、及び鉄板１８によって磁気回路が形成され、座席部１６が段部１３ｂに強固に吸着される。
【００２３】  以上のように、座席部或いは背もたれ部を磁気吸着機構によって保持することにより、通常の使用状態では磁気的吸引力によって座席部或いは背もたれ部が離脱しない。しかしながら、図５に示すように、座席部６の下方、或いは背もたれ部１９の背面から磁気的吸引力を超える圧力Ｐが加えられた場合には離脱する恐れがある。この圧力Ｐは、通常の場合、座席部６の前方、背もたれ部１９の上方に加えられることから、離脱予防のためにロック機構を設けても良い。
【００２４】  すなわち、座席部１６の前方の下面には、係合レバー２０を固着し、この係合レバー２０に対応位置するフレーム枠１２ａにフック２１を固着し、係合レバー２０の先端をフック２１に係合させるようにしている。そして、座席部１６をフレーム枠１２ａの内周縁に形成された段部１２ｂまで落とし込むとき、まず、座席部１６の後方を上げて傾斜させた状態でフレーム枠１２ａのフック２１に係合レバー２０の先端を係合させる。その後、座席部１６の後方を下げて段部１２ｂまで落とし込むことにより、座席部１６の鉄板１８が磁気吸着機構本体１７に当接して保持される。このように、フック２１に係合レバー２０を係合させることにより、座席部１６の下方から圧力加えても座席部１６の前方は離脱することがない。
【００２５】  一方、背もたれ部１９の上方にも係合レバー２２を固着し、この係合レバー２２に対応位置するフレーム枠１３ａには、係合レバー２２の先端が挿入可能なフック部２３を固着している。そして、背もたれ部１９をフレーム枠１３ａの段部１３ｂに落とし込むとき、まず、背もたれ部１９の下方を傾斜させた状態でフレーム枠１３ａのフック部２３に係合レバー２２の先端を挿入して係合させる。その後、背もたれ部１９の下方を段部１３ｂまで落とし込むことにより、背もたれ部１９の鉄板１８が磁気吸着機構本体１７に当接して保持される。このように、フック２３に係合レバー２２を係合させることにより、背もたれ部１９の上方の裏面から圧力を加えても背もたれ部１９は離脱することがない。
【００２６】  以上、本発明を実施例に基づき具体的に説明したが、本発明は上記実施例に限定されるものではなく、その要旨を逸脱しない範囲で種々変形可能であることは言うまでもない。前述した実施例において、椅子本体は種々の形状に変更しても良い。
【符号の説明】
【００２７】１    椅子本体
２    座席装着部
２ａ  フレーム枠（係合部）
２ｂ  段部
３    背もたれ
６    座席部
６ｃ  底板
７    磁気吸着機構
７ａ  永久磁石
７ｂ  ヨーク
【図１】
0003215911.tif 000003
【図２】
0003215911.tif 000004
【図３】
0003215911.tif 000005
【図４】
0003215911.tif 000006
【図５】
0003215911.tif 000007